【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
ローカルなカバレージエリアを有する無線通信ローカルエリアネットワーク（ＷＬＡＮ−ｉ）へのアクセスを制御する方法であって、前記ローカルなカバレージエリアの少なくとも一部が、主要通信ネットワーク（ＲＰ）の主要なカバレージエリア内にあり、前記方法が、
前記主要なカバレージエリアに存在する前記主要ネットワーク（ＲＰ）の顧客が所有する少なくともいくつかの移動通信装置（９）の位置を決定するステップと、
位置が前記無線通信ローカルエリアネットワーク（ＷＬＡＮ−ｉ）の前記ローカルなカバレージエリア内にある移動装置（９）を検出するステップと、
検出された移動装置（９）に、前記主要ネットワーク（ＲＰ）を介して、移動装置が接続することができる無線通信ローカルエリアネットワークの前記ローカルなカバレージエリアに移動装置があることを、ユーザに通知するメッセージを送信するステップとを含み、
位置が前記無線通信ローカルエリアネットワーク（ＷＬＡＮ−ｉ）の前記ローカルなカバレージエリア内にある移動装置（９）を検出するために、前記主要ネットワーク（ＲＰ）の管理手段（２０）が、各移動装置（９）の位置を少なくとも１つのローカルなカバレージエリアの位置と比較すること、および、
検出された移動装置（９）にメッセージを送信するために、前記主要ネットワーク（ＲＰ）の前記管理手段（２０）が、前記ローカルなカバレージエリアに位置する移動装置（９）を識別する第１の識別子を選択することを特徴とする方法。
【請求項２】
検出された移動装置（９）にメッセージを送信するために、さらに、第１の識別子を選択した後、前記選択された第１の識別子からローカルエリアネットワークへのアクセスの許可に関連付けられた第１の識別子を保持するために、移動装置の第１の識別子と、ローカルエリアネットワーク（ＷＬＡＮ−ｉ）へのアクセスの許可との対応を列挙した第１のテーブルにアクセスし、次いで、第１の識別子が保持されている前記移動装置（９）にメッセージを送信することを含むことを特徴とする、請求項１に記載の方法。
【請求項３】
各メッセージが、それ自体の第２の識別子を含み、前記ローカルエリアネットワークに接続しようと試みる場合に、選択または保持された移動装置のユーザは、自分が受信した前記第２の識別子を与えなければならないことを特徴とする、請求項１に記載の方法。
【請求項４】
第３の識別子と関連付けられた第２の識別子を受信する際に、前記関連を認証するために、第２の識別子と第３の識別子との対応を列挙した第２のテーブルが、前記ローカルエリアネットワーク（ＷＡＮ−ｉ）を介してアクセスされ、次いで認証する場合に、前記移動装置（９）が、前記ローカルエリアネットワークへのアクセスが許可されることを特徴とする、請求項３に記載の方法。
【請求項５】
前記第２の識別子が、単一の使用のためのものであることを特徴とする、請求項３に記載の方法。
【請求項６】
前記メッセージが、ショートメッセージサービスを使用して送信されることを特徴とする、請求項１に記載の方法。
【請求項７】
前記ローカルエリアネットワーク（ＷＬＡＮ−ｉ）を介して私設セキュアネットワーク（ＩＮＴＲＡＮＥＴ）にアクセスする場合に、接続が、セキュアトンネルを介して、前記私設セキュアネットワークと前記ローカルエリアネットワークとの間にセットアップされることを特徴とする、請求項１に記載の方法。
【請求項８】
前記ローカルエリアネットワーク（ＷＬＡＮ−ｉ）を介して有料サービスにアクセスする場合に、前記サービスにアクセスした前記移動装置（９）の前記主要ネットワーク（ＲＰ）を介して前記サービスを請求するために、前記アクセスされたサービスに関する支払いデータが回収されることを特徴とする、請求項１に記載の方法。
【請求項９】
ローカルなカバレージエリアを有する無線通信ローカルエリアネットワーク（ＷＬＡＮ−ｉ）へのアクセスを制御するための装置であって、前記ローカルなカバレージエリアの少なくとも一部が、移動通信装置の位置決め手段（８）を装備した主要通信ネットワーク（ＲＰ）の主要なカバレージエリアに含まれ、前記アクセスを制御するため装置が、前記位置決め手段（８）に接続される主要ネットワーク（ＲＰ）を管理するための管理手段（２０）を含み、該管理手段（２０）が、
少なくともいくつかの前記移動装置（９）の位置を、少なくとも１つのローカルなカバレージエリアの位置と比較し、
前記ローカルなカバレージエリアに位置する移動装置の第１の識別子を選択し、かつ
メッセージサーバが、移動装置が接続することができる無線通信ローカルエリアネットワークのローカルなカバレージエリアに移動装置があることを移動装置のユーザに通知するメッセージを、前記移動装置それぞれに送信するために、各選択された移動装置（９）の前記第１の識別子を含む命令を前記主要ネットワークのメッセージサーバ（１０）に送信するように構成されることを特徴とする装置。
【請求項１０】
移動装置（９）の第１の識別子とローカルネットワーク（ＷＬＡＮ−ｉ）へのアクセスの許可との対応を列挙した第１のテーブルを記憶するための第１のメモリ（１８）を備え、前記管理モジュール（２０）が、前記関連付けられた移動装置が位置する前記ローカルなカバレージエリアの無線通信ローカルエリアネットワーク（ＷＬＡＮ−ｉ）にアクセスする許可を有する前記選択された第１の識別子を保持するために、前記第１のメモリ（１８）に接続され、かつ前記第１の対応テーブルにアクセスするように構成されることを特徴とする、請求項９に記載の装置。
【請求項１１】
前記管理手段（２０）が、割り当てられた第２の識別子を含む命令を、前記メッセージサーバ（１０）に送信するように構成され、前記第２の識別子が、保持された各移動装置（９）に特有であり、かつ前記ローカルエリアネットワークに接続しようと試みる場合に、前記ローカルエリアネットワーク（ＷＬＡＮ−ｉ）のアクセスポイント（１２、１４）の１つに対応する移動装置によって与えられなければならないことを特徴とする、請求項９に記載の装置。
【請求項１２】
前記管理手段（２０）によって供給され、かつ前記割り当てられた第２の識別子と関連付けられた第３の識別子との対応を列挙した第２のテーブルを記憶するように構成された、第２のメモリ（２１）を備え、第３の識別子が、前記関連付けられた第２の識別子と共に供給されることを特徴とする、請求項１１に記載の装置。
【請求項１３】
前記第２のメモリ（２１）が、移動装置（９）が前記ローカルエリアネットワーク（ＷＬＡＮ−ｉ）にアクセスするために使用した各第２の識別子を、前記第２のテーブルから削除するように構成されることを特徴とする、請求項１２に記載の装置。
【請求項１４】
前記管理手段（２０）が、少なくとも２つの独立したローカルエリアネットワークへのアクセスを制御するように構成されることを特徴とする、請求項９に記載の装置。
【請求項１５】
主要通信ネットワーク（ＲＰ）と、無線通信ローカルエリアネットワーク（ＷＬＡＮ−ｉ）とを備える通信設備であって、請求項９から１４のいずれか一項に記載の装置をさらに備えることを特徴とする設備。
【請求項１６】
認証サーバ（１９）を備え、該認証サーバ（１９）が、前記第２のメモリ（２１）を含み、第３の識別子および第２の識別子を受信する際に、前記第２のテーブルに記憶されている識別子との比較に基づいて識別子の認証手続きを実施するように構成され、各ローカルエリアネットワーク（ＷＬＡＮ−ｉ）が、第３の識別子に関連付けられた第２の識別子を受信する際に、（ｉ）受信した前記第２の識別子および前記第３の識別子を認証する要求を前記認証サーバ（１９）に送信し、（ｉｉ）前記認証サーバ（１９）による認証の場合に、移動装置が位置する前記ローカルエリアネットワーク（ＷＬＡＮ−ｉ）にアクセスするために、前記第３の識別子によって指定された前記移動装置（９）を認証するように構成されたアクセスポイント（１２、１４）を含むことを特徴とする、請求項１５に記載の設備。
【請求項１７】
私設セキュアネットワーク（ＩＮＴＲＡＮＥＴ）も備え、該私設セキュアネットワーク（ＩＮＴＲＡＮＥＴ）が、前記主要ネットワーク（ＲＰ）の少なくとも１つに接続されたアクセスサーバ（１６、１７）と、前記主要ネットワークに接続された接続手段とを備え、該接続手段が、前記ローカルエリアネットワーク（ＷＬＡＮ−ｉ）の１つを介して私設セキュアネットワークにアクセスすることを要求する場合に、前記私設ネットワークと前記ローカルエリアネットワークとの間にセキュアトンネルをセットアップするように構成されることを特徴とする、請求項１５に記載の設備。
【請求項１８】
前記私設ネットワーク（ＩＮＴＲＡＮＥＴ）が、公衆ネットワーク（ＩＮＴＥＲＮＥＴ）に接続されることを特徴とする、請求項１７に記載の設備。
【請求項１９】
請求サーバ（１９）を備え、該請求サーバ（１９）が、前記ローカルエリアネットワーク（ＷＬＡＮ−ｉ）の１つを介して移動装置（９）によって有料サービスにアクセスする場合に、前記アクセスされたサービスに関する支払いデータを回収し、かつ前記サービスを表す請求書を、前記移動装置のユーザが顧客である前記主要ネットワーク（ＲＰ）の管理サーバ（１０）に送信するように構成されることを特徴とする、請求項１５に記載の設備。
【請求項２０】
前記ローカルエリアネットワーク（ＷＬＡＮ−ｉ）が、アクセスプロバイダ（１）のアクセスサーバを介して公衆ネットワーク（ＩＮＴＥＲＮＥＴ）に接続されることを特徴とする、請求項１５に記載の設備。
【請求項２１】
前記主要ネットワーク（ＲＰ）が、公衆ネットワーク（ＩＮＴＥＲＮＥＴ）に接続されることを特徴とする、請求項１５に記載の設備。